(57)【要約】【課題】型崩れしにくいカバンの製作を可能とするカバン製作テープを提供すること。【解決手段】カバン製作テープ（１０）は、ストリップ（１２）と、ストリップに取り付けられ、ストリップの両耳（１２ａ）に沿ってそれぞれ伸びる一対のワイヤ（１４）とを備える。ストリップは例えば本体（１６）と、ストリップの一対の耳が互いに他の一方に向けて折り返されかつ本体に接合された一対の折り返し部（１８）とを有し、一対のワイヤは、それぞれ、本体と一対の折り返し部との間に配置されている。【選択図】図１
0003206432.tif 000002
【実用新案登録請求の範囲】
【請求項１】
ストリップと、
前記ストリップに取り付けられ、前記ストリップの両耳に沿って伸びる一対のワイヤとを備える、カバン製作テープ。
【請求項２】
前記ストリップは本体と、前記ストリップの一対の耳が互いに他の一方に向けて折り返されかつ前記本体に接合された一対の折り返し部とを有し、
前記一対のワイヤは、それぞれ、前記本体と前記一対の折り返し部との間に配置されている、請求項１に記載のカバン製作テープ。
【請求項３】
前記ストリップは熱可塑性樹脂製の繊維を素材とする織物からなり、前記ストリップの両折り返し部はそれぞれ前記本体に超音波溶着されている、請求項２に記載のカバン製作テープ。
【請求項４】
前記ストリップは熱可塑性樹脂製の繊維を素材とする織物からなり、また、両ワイヤはそれぞれ熱可塑性樹脂製の線材からなり、両ワイヤはそれぞれ前記ストリップにその表面に超音波溶着されている、請求項１に記載のカバン製作テープ。
【請求項５】
前記ストリップは織物からなり、両ワイヤはそれぞれ前記織物に織り込まれている、請求項１に記載のカバン製作テープ。
【請求項６】
前記ワイヤは金属製の線材又は合成樹脂製の線材からなる、請求項１に記載のカバン製作テープ。
【考案の詳細な説明】
【技術分野】
【０００１】
本考案は、カバンの製作素材であるカバン製作テープに関する。
【背景技術】
【０００２】
従来、物を収容するカバン本体と該カバン本体に取り付けられた一対の持ち手とを有するカバンの製作、特にカバン本体の製作のためにその素材としてテープ（カバン製作テープ）を用いることが行われている。カバン本体は、例えば複数のカバン製作テープを互いに縫い合わせる、平織に織る等により製作されている。
【０００３】
このようなカバン製作テープとして、従来、紙テープの表面に織物からなるテープを貼付してなるものが提案されている（後記特許文献１参照）。しかし、前記従来のカバン製作テープを用いて製作されたカバン本体には、比較的容易に型崩れしやすいという難点があった。
【先行技術文献】
【特許文献】
【０００４】
【特許文献１】特開２００５−２１８７３６号公報
【考案の概要】
【考案が解決しようとする課題】
【０００５】
本考案の目的は、前記従来の事情に鑑み、型崩れのしにくいカバン本体の製作を可能とするカバン製作テープを提供することにある。
【課題を解決するための手段】
【０００６】
本考案に係るカバン製作テープは、ストリップと、該ストリップに取り付けられ、前記ストリップの両耳に沿って伸びる一対のワイヤとを備える。
【０００７】
本考案によれば、複数のカバン製作テープを例えば互いに縫い合わせる、平織に織る等によりカバン本体を製作することができる。本考案にあっては、複数のストリップに取り付けられその両耳に沿ってそれぞれ伸びる一対のワイヤが前記ストリップの形態保持に寄与し、このことが、製作されたカバン本体を型崩れのしにくいものとすることに寄与する。
【０００８】
前記ストリップが本体と、前記ストリップの一対の耳が互いに他の一方に向けて折り返されかつ前記本体に接合された一対の折り返し部とを有し、かつ、前記一対のワイヤが、それぞれ、前記本体と前記一対の折り返し部との間に配置されているもの、とすることができる。ここにおいて、好ましくは、前記ストリップが熱可塑性樹脂製の繊維を素材とする織物からなり、前記ストリップの両折り返し部がそれぞれ前記本体に超音波溶着されている。
【０００９】
また、前記ストリップが熱可塑性樹脂製の繊維を素材とする織物からなり、また、両ワイヤがそれぞれ熱可塑性樹脂製の線材からなり、両ワイヤがそれぞれ前記ストリップにその表面において超音波溶着されているものとし、あるいは、また、前記ストリップが織物からなり、両ワイヤがそれぞれ前記織物に織り込まれたものとすることができる。
【００１０】
前記ワイヤについては、これを金属製の線材又は合成樹脂製の線材からなるものとすることができる。
【図面の簡単な説明】
【００１１】
【図１】本考案の一実施形態に係るカバン製作テープの部分断面図である。
【図２】カバン製作テープを用いて製作されたカバンの一例を示す斜視図である。
【図３】カバン製作テープを用いて製作されたカバンの他の一例を示す斜視図である。
【考案を実施するための形態】
【００１２】
図１を参照すると、本考案の一実施形態に係るカバン製作テープ（以下「テープ」と略称する。）が全体に符号１０で示されている。また、テープ１０を用いて製作されたカバンＡのカバン本体Ａ１及びカバンＢのカバン本体Ｂ１がそれぞれ図２及び図３に例示されている。
【００１３】
テープ１０は、ストリップ１２と、ストリップ１２に取り付けられた一対のワイヤ１４とを備える。
【００１４】
図示の例において、ストリップ１２は熱可塑性樹脂製の繊維を素材とする織物からなり、比較的広幅の本体１６と、一対の比較的細幅の折り返し部１８とを有する。ここにおいて、両折り返し部１８は、ストリップ１２の両耳１２ａを互いに他の一方に向けて折り返してなる。各折り返し部１８は、その側縁すなわちストリップ１２の各耳１２ａの近傍において、本体１６に超音波溶着により接合されている。ストリップ１２は、これを織物からなるものとする図示の例に代えて、熱可塑性樹脂製のフィルムからなるものとすることができる。前記熱可塑性樹脂製のフィルムからなるストリップ１２においても、その本体１６と各折り返し部１８との相互接合は前記超音波溶着によるものとすることができる。
【００１５】
ストリップ１２は、これを熱可塑性樹脂製の繊維を素材とする織物からなるものとする図示の例に代えて、他の合成繊維、化学繊維、天然繊維等を素材とする織物、合成樹脂製のフィルム等からなるものとすることができる。これらの例において、各折り返し部１８の本体１６への接合は接着剤による接着、縫い合わせ等によるものとすることができる。
【００１６】
一対のワイヤ１４は、それぞれ、ストリップ１２の本体１６と両折り返し部１８との間に配置され、ストリップ１２の両耳１２ａに沿って直線的に伸びている。これにより、両ワイヤ１４が本体１６と両折り返し部１８との間に保持され、また、これによりストリップ１２に取り付けられている。ワイヤ１４は鋼や銅のような金属製の線材又はポリエステルのような合成樹脂製の線材からなる。両ワイヤ１４は、それぞれの弾性により、ストリップ１２又は本体１６に腰を与え、またストリップ１２又は本体１６の形態保持に寄与する。また、両ワイヤ１４が塑性変形した場合には、これらに折り曲げ力を加えることにより、元の形態に容易に復することができる。
【００１７】
図示の例に代えて、テープ１０は、ストリップ１２と、該ストリップの表面上に載置されかつストリップ１２に縫い付けられ、あるいは接着されストリップ１２の両耳１２ａに沿って伸びる一対のワイヤ１４とを有するものとすることができる（図示せず）。ここにおいて、ストリップ１２と各ワイヤ１４とをそれぞれ熱可塑性樹脂製の素材及び線材からなるものとし、かつ、各ワイヤ１４をストリップ１２の表面に超音波溶着により接合することができる。また、図示の例に代えて、ストリップ１２が織物からなり、かつ、各ワイヤ１４が前記織物の例えば横糸の一つとして前記織物に織り込まれ、これにより、ストリップ１２に取り付けられたものとすることができる（図示せず）。
【００１８】
ストリップ１２又は本体１６の幅寸法は、製作されるカバンの大きさ、全体的な形状、デザイン等を考慮して定めることができる。また、ストリップ１２は、これが色彩又は模様を有するもの、透明又は半透明であるものとすることができる。
【００１９】
図２を参照すると、カバンＡは、物が入れられるカバン本体Ａ１と、カバン本体Ａ１の口部に取り付けられた一対の持ち手Ａ２とを備え、このうちのカバン本体Ａ１がテープ１０を用いて製作されている。カバン本体Ａ１において、カバン本体Ａ１のデザインに合わせてループ状にされかつ両端において互いに接合された複数のテープ１０が上下方向に互いに隣接して配置されかつ互いに縫い合わされている。
【００２０】
また、図３に示すカバンＢは、物が入れられるカバン本体Ｂ１と、カバン本体Ｂ１の口部に取り付けられた一対の持ち手Ｂ２とを備え、カバン本体Ｂ１がテープ１０を用いて製作されている。この例においては、複数のテープ１０が平織に織られている。
【００２１】
各カバンＡ、Ｂの持ち手Ａ２、Ｂ２は、テープ１０以外の他の任意のテープや帯片をもって構成することができる。なお、いずれのカバンＡ、Ｂにおいても、装飾性の観点から、複数のテープ１０は、これらを構成するストリップ１２の両折り返し部１８が前記カバン本体の内側にあって表に現れないように使用することが望ましい。
【符号の説明】
【００２２】
１０  カバン製作テープ
１２  ストリップ
１４  ワイヤ
１６  本体
１８  折り返し部
Ａ、Ｂ  カバン
Ａ１、Ｂ１  カバン本体
【図１】
0003206432.tif 000003
【図２】
0003206432.tif 000004
【図３】
0003206432.tif 000005